【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
ディジタル動画像信号をブロック単位に変換・量子化することによって圧縮符号化してビットストリームを生成する動画像符号化装置において、
前記ディジタル動画像信号の各ピクチャをすべてイントラ符号化するか否かを示し、かつ変換・量子化の単位となるブロックの境界に施すデブロッキングフィルタの動作を制御する識別情報をビットストリームに多重化する符号化部を備えることを特徴とする動画像符号化装置。
【請求項２】
ディジタル動画像信号を入力として圧縮符号化を行う動画像符号化装置において、
入力動画像信号のクロマフォーマットが４：２：０ないしは４：２：２の場合の輝度成分に相当する信号成分に対してイントラ予測を行う第１のイントラ予測モード決定部と、
入力動画像信号のクロマフォーマットが４：２：０ないしは４：２：２の場合の色差成分に相当する信号成分に対してイントラ予測を行う第２のイントラ予測モード決定部と、
前記第１のイントラ予測モード決定部によって定まる第１のイントラ予測モード、ないし前記第２のイントラ予測モード決定部によって定まる第２のイントラ予測モードを可変長符号化する可変長符号化部と、
前記第１のイントラ予測モードに基づいて第１のイントラ予測画像を生成する第１のイントラ予測画像生成部と、
前記第２のイントラ予測モードに基づいて第２のイントラ予測画像を生成する第２のイントラ予測画像生成部と、
前記第１のイントラ予測画像、ないし前記第２のイントラ予測画像と入力動画像信号の対応する色成分信号との差分として得られる予測誤差信号に対して変換符号化を行う符号化部を備え、
前記入力動画像信号のクロマフォーマット種別を与える制御信号に基づき、クロマフォーマットが４：２：０ないしは４：２：２の場合は、前記入力動画像信号の輝度成分に前記第１のイントラ予測モード決定部と前記第１のイントラ予測画像生成部を、色差成分に前記第２のイントラ予測モード決定部と前記第２のイントラ予測画像生成部を適用し、クロマフォーマットが４：４：４の場合は、前記入力動画像信号の全色成分に前記第１のイントラ予測モード決定部と前記第１のイントラ予測画像生成部を適用して符号化を行い、
前記可変長符号化部は前記制御信号を動画像シーケンス単位に適用する符号化データとしてビットストリームに多重化することを特徴とする動画像符号化装置。
【請求項３】
請求項２記載の動画像符号化装置において、クロマフォーマットが４：４：４の場合に、さらに共通符号化・独立符号化の種別を識別する制御信号に基づいて、該制御信号が共通符号化であることを示す場合は、前記第１のイントラ予測モード決定部において前記入力動画像信号の一部ないしは全色成分の信号を評価して、得られる第１のイントラ予測モードを前記入力動画像信号の全色成分に共通の予測モードとして決定し、
前記制御信号が独立符号化であることを示す場合は、前記第１のイントラ予測モード決定部において前記入力動画像信号の各色成分の信号を個別に評価して、色成分ごとに前記第１のイントラ予測モードを独立に決定して符号化を行うことを特徴とする動画像符号化装置。
【請求項４】
ディジタル動画像信号を入力として圧縮符号化を行う動画像符号化装置において、
入力動画像信号のクロマフォーマットが４：２：０ないしは４：２：２の場合の輝度成分に相当する信号成分に対して第１の動き情報の決定を行う第１の動き検出部と、
入力動画像信号のクロマフォーマットが４：２：０ないしは４：２：２の場合の色差成分に相当する信号成分に対して第２の動き情報の決定を行う第２の動き検出部と、
前記第１の動き検出部によって定まる第１の動き情報を可変長符号化する可変長符号化部と、
前記第１の動き情報に基づいて第１のインター予測画像を生成する第１の動き補償部と、前記第２の動き情報に基づいて第２のインター予測画像を生成する第２の動き補償部と、前記第１のインター予測画像、ないし前記第２のインター予測画像と入力動画像信号の対応する色成分信号との差分として得られる予測誤差信号に対して変換符号化を行う符号化部を備え、
前記入力動画像信号のクロマフォーマット種別を与える制御信号に基づき、クロマフォーマットが４：２：０ないしは４：２：２の場合は、前記入力動画像信号の輝度成分に前記第１の動き検出部と前記第１の動き補償部を、色差成分に前記第２の動き検出部と前記第２の動き補償部を適用し、クロマフォーマットが４：４：４の場合は、前記入力動画像信号の全色成分に前記第１の動き検出部と前記第１の動き補償部を適用して符号化を行い、前記可変長符号化部は前記制御信号を動画像シーケンス単位に適用する符号化データとしてビットストリームに多重化することを特徴とする動画像符号化装置。
【請求項５】
請求項４記載の動画像符号化装置において、クロマフォーマットが４：４：４の場合に、さらに共通符号化・独立符号化の種別を識別する制御信号に基づいて、該制御信号が共通符号化であることを示す場合は、前記第１の動き検出部において前記入力動画像信号の一部ないしは全色成分の信号を評価して第１の動き情報を前記入力動画像信号の全色成分に共通の動き情報として決定し、
前記制御信号が独立符号化であることを示す場合は、前記第１の動き検出部において前記入力動画像信号の各色成分の信号を個別に評価して色成分ごとに前記第１の動き情報を決定して符号化を行うことを特徴とする動画像符号化装置。
【請求項６】
ディジタル動画像信号をブロック単位に変換・量子化することによって圧縮符号化して生成されたビットストリームを入力として、ディジタル動画像信号を復号する動画像復号装置において、
前記ディジタル動画像信号の各ピクチャをすべてイントラ符号化するか否かを示す識別情報を復号する復号部を備え、
前記識別情報が、前記ディジタル動画像信号の各ピクチャをすべてイントラ符号化することを示す場合、変換・量子化の単位となるブロックの境界に施すデブロッキングフィルタを無効化した復号画像を生成することを特徴とする動画像復号装置。
【請求項７】
ディジタル動画像信号を圧縮符号化したビットストリームを入力として動画像信号の復号を行う動画像復号装置において、
動画像信号のクロマフォーマットが４：２：０ないしは４：２：２の場合の輝度成分に相当する信号成分に対して第１のイントラ予測画像の生成を行う第１のイントラ予測画像生成部と、
動画像信号のクロマフォーマットが４：２：０ないしは４：２：２の場合の色差成分に相当する信号成分に対して第２のイントラ予測画像の生成を行う第２のイントラ予測画像生成部と、
前記入力ビットストリームから、圧縮符号化された動画像信号のクロマフォーマット種別を示すクロマフォーマット識別情報を動画像シーケンス単位の情報として復号するとともに、該クロマフォーマット識別情報に基づいて入力ビットストリームをマクロブロック単位に解析して、前記第１のイントラ予測画像の生成に用いる第１のイントラ予測モード、ないしは前記第２のイントラ予測画像の生成に用いる第２のイントラ予測モード、および前記第１のイントラ予測画像、ないしは前記第２のイントラ予測画像との予測誤差信号を変換符号化した量子化係数データをビットストリーム中から復号する可変長復号部と、
前記量子化係数データを逆量子化、逆変換して予測誤差信号へ復号する予測誤差信号復号部を備え、
前記クロマフォーマット識別情報に基づき、クロマフォーマットが４：２：０ないしは４：２：２の場合は、前記第１のイントラ予測画像生成部と前記第１のイントラ予測モードに基づいて輝度成分のイントラ予測画像を、前記第２のイントラ予測画像生成部と前記第２のイントラ予測モードに基づいて色差成分のイントラ予測画像を生成し、クロマフォーマットが４：４：４の場合は、前記第１のイントラ予測画像生成部と前記第１のイントラ予測モードに基づいて全色成分のイントラ予測画像を生成して、得られたイントラ予測画像と前記予測誤差信号復号部の出力を加算することにより動画像信号を復号することを特徴とする動画像復号装置。
【請求項８】
請求項７記載の動画像復号装置において、前記可変長復号部は、クロマフォーマットが４：４：４の場合に、さらに共通符号化・独立符号化の種別を識別する共通符号化・独立符号化識別信号を動画像シーケンス単位の情報として復号し、該識別情報が共通符号化であることを示す場合は、前記第１のイントラ予測モードとして、復号される動画像信号の全色成分の信号に共通の予測モードを復号し、
前記識別信号が独立符号化であることを示す場合は、前記第１のイントラ予測モードとして、復号される動画像信号の各色成分の信号に対して個別の予測モードをそれぞれ復号することを特徴とする動画像復号装置。
【請求項９】
ディジタル動画像信号を圧縮符号化したビットストリームを入力として動画像信号の復号を行う動画像復号装置において、
動画像信号のクロマフォーマットが４：２：０ないしは４：２：２の場合の輝度成分に相当する信号成分に対して第１のインター予測画像の生成を行う第１の動き補償部と、
動画像信号のクロマフォーマットが４：２：０ないしは４：２：２の場合の色差成分に相当する信号成分に対して第２のインター予測画像の生成を行う第２の動き補償部と、
前記入力ビットストリームから、圧縮符号化された動画像信号のクロマフォーマット種別を示すクロマフォーマット識別情報を動画像シーケンス単位の情報として復号するとともに、該クロマフォーマット識別情報に基づいて入力ビットストリームをマクロブロック単位に解析して、前記第１のインター予測画像の生成に用いる第１の動き情報、ないしは前記第２のインター予測画像の生成に用いる第２の動き情報、および前記第１のインター予測画像、ないしは前記第２のインター予測画像との予測誤差信号を変換符号化した量子化係数データをビットストリーム中から復号する可変長復号部と、
前記量子化係数データを逆量子化、逆変換して予測誤差信号へ復号する予測誤差信号復号部を備え、
前記クロマフォーマット識別情報に基づき、クロマフォーマットが４：２：０ないしは４：２：２の場合は、前記第１の動き情報に基づいて前記第２の動き情報の復号値を生成し、前記第１の動き補償部と前記第１の動き情報に基づいて輝度成分のインター予測画像を、前記第２の動き補償部と前記第２の動き情報に基づいて色差成分のインター予測画像を生成し、クロマフォーマットが４：４：４の場合は、前記第１の動き補償部と前記第１の動き情報に基づいて全色成分のインター予測画像を生成して、得られたインター予測画像と前記予測誤差信号復号部の出力を加算することにより動画像信号を復号することを特徴とする動画像復号装置。
【請求項１０】
請求項９記載の動画像復号装置において、前記可変長復号部は、クロマフォーマットが４：４：４の場合に、さらに共通符号化・独立符号化の種別を識別する共通符号化・独立符号化識別信号を動画像シーケンス単位の情報として復号し、該識別情報が共通符号化であることを示す場合は、前記第１の動き情報として、復号される動画像信号の全色成分の信号に共通の動き情報を復号し、
前記識別信号が独立符号化であることを示す場合は、前記第１の動き情報として、復号される動画像信号の各色成分の信号に対して個別の動き情報をそれぞれ復号することを特徴とする動画像復号装置。
【請求項１１】
ディジタル動画像信号をブロック単位に変換・量子化することによって圧縮符号化してビットストリームを生成する動画像符号化方法において、
前記ディジタル動画像信号の各ピクチャをすべてイントラ符号化するか否かを示し、かつ変換・量子化の単位となるブロックの境界に施すデブロッキングフィルタの動作を制御する識別情報をビットストリームに多重化する符号化ステップを備えることを特徴とする動画像符号化方法。
【請求項１２】
ディジタル動画像信号を入力として圧縮符号化を行う動画像符号化方法において、
入力動画像信号のクロマフォーマットが４：２：０ないしは４：２：２の場合の輝度成分に相当する信号成分に対してイントラ予測を行う第１のイントラ予測モード決定ステップと、
入力動画像信号のクロマフォーマットが４：２：０ないしは４：２：２の場合の色差成分に相当する信号成分に対してイントラ予測を行う第２のイントラ予測モード決定ステップと、
前記第１のイントラ予測モード決定ステップによって定まる第１のイントラ予測モード、ないし前記第２のイントラ予測モード決定ステップによって定まる第２のイントラ予測モードを可変長符号化する可変長符号化ステップと、
前記第１のイントラ予測モードに基づいて第１のイントラ予測画像を生成する第１のイントラ予測画像生成ステップと、
前記第２のイントラ予測モードに基づいて第２のイントラ予測画像を生成する第２のイントラ予測画像生成ステップと、
前記第１のイントラ予測画像、ないし前記第２のイントラ予測画像と入力動画像信号の対応する色成分信号との差分として得られる予測誤差信号に対して変換符号化を行う符号化ステップを備え、
前記入力動画像信号のクロマフォーマット種別を与える制御信号に基づき、クロマフォーマットが４：２：０ないしは４：２：２の場合は、前記入力動画像信号の輝度成分に前記第１のイントラ予測モード決定ステップと前記第１のイントラ予測画像生成ステップを、色差成分に前記第２のイントラ予測モード決定ステップと前記第２のイントラ予測画像生成ステップを適用し、クロマフォーマットが４：４：４の場合は、前記入力動画像信号の全色成分に前記第１のイントラ予測モード決定ステップと前記第１のイントラ予測画像生成ステップを適用して符号化を行い、
前記可変長符号化ステップは前記制御信号を動画像シーケンス単位に適用する符号化データとしてビットストリームに多重化することを特徴とする動画像符号化方法。
【請求項１３】
ディジタル動画像信号を入力として圧縮符号化を行う動画像符号化方法において、
入力動画像信号のクロマフォーマットが４：２：０ないしは４：２：２の場合の輝度成分に相当する信号成分に対して第１の動き情報の決定を行う第１の動き検出ステップと、
入力動画像信号のクロマフォーマットが４：２：０ないしは４：２：２の場合の色差成分に相当する信号成分に対して第２の動き情報の決定を行う第２の動き検出ステップと、
前記第１の動き検出ステップによって定まる第１の動き情報を可変長符号化する可変長符号化ステップと、
前記第１の動き情報に基づいて第１のインター予測画像を生成する第１の動き補償ステップと、
前記第２の動き情報に基づいて第２のインター予測画像を生成する第２の動き補償ステップと、
前記第１のインター予測画像、ないし前記第２のインター予測画像と入力動画像信号の対応する色成分信号との差分として得られる予測誤差信号に対して変換符号化を行う符号化ステップを備え、
前記入力動画像信号のクロマフォーマット種別を与える制御信号に基づき、クロマフォーマットが４：２：０ないしは４：２：２の場合は、前記入力動画像信号の輝度成分に前記第１の動き検出ステップと前記第１の動き補償ステップを、色差成分に前記第２の動き検出ステップと前記第２の動き補償ステップを適用し、クロマフォーマットが４：４：４の場合は、前記入力動画像信号の全色成分に前記第１の動き検出ステップと前記第１の動き補償ステップを適用して符号化を行い、
前記可変長符号化ステップは前記制御信号を動画像シーケンス単位に適用する符号化データとしてビットストリームに多重化することを特徴とする動画像符号化方法。
【請求項１４】
ディジタル動画像信号をブロック単位に変換・量子化することによって圧縮符号化して生成されたビットストリームを入力として、ディジタル動画像信号を復号する動画像復号方法において、
前記ディジタル動画像信号の各ピクチャをすべてイントラ符号化するか否かを示す識別情報を復号する復号ステップを備え、
前記識別情報が、前記ディジタル動画像信号の各ピクチャをすべてイントラ符号化することを示す場合、変換・量子化の単位となるブロックの境界に施すデブロッキングフィルタを無効化した復号画像を生成することを特徴とする動画像復号方法。
【請求項１５】
ディジタル動画像信号を圧縮符号化したビットストリームを入力として動画像信号の復号を行う動画像復号方法において、
動画像信号のクロマフォーマットが４：２：０ないしは４：２：２の場合の輝度成分に相当する信号成分に対して第１のイントラ予測画像の生成を行う第１のイントラ予測画像生成ステップと、
動画像信号のクロマフォーマットが４：２：０ないしは４：２：２の場合の色差成分に相当する信号成分に対して第２のイントラ予測画像の生成を行う第２のイントラ予測画像生成ステップと、
前記入力ビットストリームから、圧縮符号化された動画像信号のクロマフォーマット種別を示すクロマフォーマット識別情報を動画像シーケンス単位の情報として復号するとともに、該クロマフォーマット識別情報に基づいて入力ビットストリームをマクロブロック単位に解析して、前記第１のイントラ予測画像の生成に用いる第１のイントラ予測モード、ないしは前記第２のイントラ予測画像の生成に用いる第２のイントラ予測モード、および前記第１のイントラ予測画像、ないしは前記第２のイントラ予測画像との予測誤差信号を変換符号化した量子化係数データをビットストリーム中から復号する可変長復号ステップと、
前記量子化係数データを逆量子化、逆変換して予測誤差信号へ復号する予測誤差信号復号ステップを備え、
前記クロマフォーマット識別情報に基づき、クロマフォーマットが４：２：０ないしは４：２：２の場合は、前記第１のイントラ予測画像生成ステップと前記第１のイントラ予測モードに基づいて輝度成分のイントラ予測画像を、前記第２のイントラ予測画像生成ステップと前記第２のイントラ予測モードに基づいて色差成分のイントラ予測画像を生成し、クロマフォーマットが４：４：４の場合は、前記第１のイントラ予測画像生成ステップと前記第１のイントラ予測モードに基づいて全色成分のイントラ予測画像を生成して、得られたイントラ予測画像と前記予測誤差信号復号ステップの出力を加算することにより動画像信号を復号することを特徴とする動画像復号方法。
【請求項１６】
ディジタル動画像信号を圧縮符号化したビットストリームを入力として動画像信号の復号を行う動画像復号方法において、
動画像信号のクロマフォーマットが４：２：０ないしは４：２：２の場合の輝度成分に相当する信号成分に対して第１のインター予測画像の生成を行う第１の動き補償ステップと、
動画像信号のクロマフォーマットが４：２：０ないしは４：２：２の場合の色差成分に相当する信号成分に対して第２のインター予測画像の生成を行う第２の動き補償ステップと、
前記入力ビットストリームから、圧縮符号化された動画像信号のクロマフォーマット種別を示すクロマフォーマット識別情報を動画像シーケンス単位の情報として復号するとともに、該クロマフォーマット識別情報に基づいて入力ビットストリームをマクロブロック単位に解析して、前記第１のインター予測画像の生成に用いる第１の動き情報、ないしは前記第２のインター予測画像の生成に用いる第２の動き情報、および前記第１のインター予測画像、ないしは前記第２のインター予測画像との予測誤差信号を変換符号化した量子化係数データをビットストリーム中から復号する可変長復号ステップと、
前記量子化係数データを逆量子化、逆変換して予測誤差信号へ復号する予測誤差信号復号ステップを備え、
前記クロマフォーマット識別情報に基づき、クロマフォーマットが４：２：０ないしは４：２：２の場合は、前記第１の動き情報に基づいて前記第２の動き情報の復号値を生成し、前記第１の動き補償ステップと前記第１の動き情報に基づいて輝度成分のインター予測画像を、前記第２の動き補償ステップと前記第２の動き情報に基づいて色差成分のインター予測画像を生成し、クロマフォーマットが４：４：４の場合は、前記第１の動き補償ステップと前記第１の動き情報に基づいて全色成分のインター予測画像を生成して、得られたインター予測画像と前記予測誤差信号復号ステップの出力を加算することにより動画像信号を復号することを特徴とする動画像復号方法。